(57)【要約】【課題】温度変化などが生じても、液体を貯留する貯留室からリザーバ室側に押し出される液体を少なくするとともに、塗布体側で安定した連続塗布を可能にする液体を貯留した塗布具を提供する。【解決手段】本発明の塗布具は、本体３と、本体３内に設けられ、インクが貯留される貯留室５とリザーバ室７とを区画するとともに、貫通孔１０ａが形成された隔壁１０と、貯留されたインクの塗布を可能とするペン体１５を具備し、貫通孔１０ａに挿通されて貯留室内に貯留されたインクをペン体側に移送させる中継芯１６と、貯留室内に配設され、周壁と底壁を具備したコップ部材２０とを備えている。コップ部材２０は、本体の内面と周壁との間にインクが貯留される第１の隙間Ｇ１を形成するとともに、隔壁と底壁との間にインクが貯留される第２の隙間Ｇ２を形成する大きさに形成されており、中継芯１６を第２の隙間Ｇ２に突出させたことを特徴とする。【選択図】図１
2018114705.tif 000002
【特許請求の範囲】
【請求項１】
本体と、
前記本体内に設けられ、液体が貯留される貯留室とリザーバ室とを区画するとともに、貫通孔が形成された隔壁と、
前記貯留された液体の塗布を可能とする塗布体を具備し、前記貫通孔に挿通されて貯留室内に貯留された液体を塗布体側に移送させる中継芯と、
前記貯留室内に配設され、周壁と底壁を具備したコップ部材と、
を備えた塗布具であって、
前記コップ部材は、前記本体の内面と前記周壁との間に液体が貯留される第１の隙間を形成するとともに、前記隔壁と底壁との間に液体が貯留される第２の隙間を形成する大きさに形成されており、
前記中継芯を前記第２の隙間に突出させた、
ことを特徴とする塗布具。
【請求項２】
前記隔壁に形成される貫通孔は、中継芯との間で、毛細管力によって液体を保持することが可能な隙間を形成することを特徴とする請求項１に記載の塗布具。
【請求項３】
前記リザーバ室内に設けられ、前記中継芯を囲繞して液体を吸蔵する吸蔵体を配設したことを特徴とする請求項１又は２に記載の塗布具。
【請求項４】
前記コップ部材は、第１の隙間及び第２の隙間が毛細管力によって液体を保持する大きさを備えており、前記第２の隙間の毛細管力は第１の隙間の毛細管力よりも強くなるように構成されることを特徴とする請求項１から３のいずれか１項に記載の塗布具。
【請求項５】
前記第２の隙間に突出する中継芯の端面を焼き付け処理したことを特徴とする請求項１から４のいずれか１項に記載の塗布具。
【請求項６】
前記コップ部材の底壁に凹所を形成し、前記第２の隙間に突出する中継芯の端部を圧入したことを特徴とする請求項１から４のいずれか１項に記載の塗布具。
【請求項７】
前記貫通孔は、断面多角形状に形成されており、前記中継芯を位置決めすることを特徴とする請求項２から６のいずれか１項に記載の塗布具。
【請求項８】
前記コップ部材には、前記周壁にリブが形成され、前記コップ部材は、リブを本体の内面に圧接することで位置決めされることを特徴とする請求項１から７のいずれか１項に記載の塗布具。
【請求項９】
前記コップ部材の周壁の外面、及び／又は、前記本体の内面にスリットを形成し、前記コップ部材を本体内に圧入することで、前記第１の隙間を形成することを特徴とする請求項１から７のいずれか１項に記載の塗布具。
【請求項１０】
前記吸蔵体は、繊維を絡ませた多孔質材であり、
前記隔壁には、前記吸蔵体を保持するホルダが形成されていることを特徴とする請求項３から９のいずれか１項に記載の塗布具。
【請求項１１】
前記ホルダは、貯留室側の内径が小さく、塗布体側の内径が大きく形成されており、
前記ホルダに保持される多孔質材は、貯留室側の気孔率が低く、塗布体側の気孔率が高いことを特徴とする請求項１０に記載の塗布具。
【請求項１２】
前記吸蔵体は繊維を絡ませた多孔質材であると共に、貯留室側の気孔率が低く、塗布体側の気孔率が高くなるように構成されており、
前記塗布体の毛細管力≧前記中継芯の毛細管力＞前記貫通孔と中継芯との間の毛細管力≧前記貯留室側の多孔質材の毛細管力＞前記塗布体側の多孔質材の毛細管力、に設定したことを特徴とする請求項３から９のいずれか１項に記載の塗布具。
【請求項１３】
前記コップ部材は、前記貯留室内で変位可能に配設されていることを特徴とする請求項１から３のいずれか１項に記載の塗布具。
【請求項１４】
前記第２の隙間に、前記第１の隙間から前記中継芯に液体を誘導する液体誘導体を配設したことを特徴とする請求項１から１３のいずれか１項に記載の塗布具。
【発明の詳細な説明】
【技術分野】
【０００１】
本発明は、サインペンやマーキングペンなどの筆記具、アイライナーなどの化粧用具、スタンプ、薬剤塗布容器などに適用され、インク、化粧水、香水、薬剤などの各種の液体を生のままの状態で貯留し、塗布できるようにした塗布具に関する。
【背景技術】
【０００２】
従来、インクや化粧水などの液体を中綿などの吸蔵体に吸収させた状態で貯留するのではなく、生のままの状態で貯留し、適宜塗布できるようにした塗布具が知られている。例えば、特許文献１には、生インク式の塗布具（筆記具）が開示されている。この筆記具は、大気に連通するリザーバ室と、インクが貯留されるインク貯留室とを隔壁によって区分けした本体を備えている。前記隔壁には、インク供給体（中継芯）を嵌合させる貫通孔が形成されており、筆記する場合、中継芯の内部で毛細管力の強い部分をインクが流れ、毛細管力の弱い部分を空気が通り、中継芯内部で気液交換が行われるようになっている。
【０００３】
また、特許文献２には、リザーバ室とインク貯留室とを区画する隔壁に、中継芯を挿通させる貫通孔を形成した筆記具が開示されている。前記貫通孔の内壁と中継芯との間には、毛細管力によってインクが保持されるように所定の隙間が形成されており、この部分で気液交換が成されるように構成されている。このような構成では、特許文献１の構造と比較すると、気液交換の感度が向上することから、安定した筆記が行えるようになる。なお、前記貫通孔の形状を多角形状にすることで、挿通される中継芯を位置決めして寸法管理することが可能である。
【０００４】
上記したように、インク貯留室に貯留されているインクは、前記中継芯の内部、或いは、貫通孔と中継芯との間の隙間部分が気液交換作用することで、塗布体側で筆記することが可能となる。この場合、インクが消費されるに連れ、インク貯留室内には空気が入り込むようになり、インク貯留室内の空気の量が多くなると、温度変化によってインクが中継芯内に、或いは、貫通孔を通じてリザーバ室内に押し出され易くなる。特に、インク貯留室内の空気が貯留室容量の半分以上になると、温度が上昇した場合、空気の膨張量がそのままインクの押し出し量となることから、インクが押し出され易くなり、リザーバ室に多量のインクが流出してしまう。また、塗布体側がインクリッチ状態となり、筆記した際に大きなドット（液漏れ）が生じる可能性がある。前記リザーバ室には、押し出されたインクを吸蔵する吸蔵体を設けることが開示されているが、この吸蔵体に吸蔵されたインクを全て使いきることは難しく、できるだけリザーバ室内にインクが押し出されないようにすることが好ましい。
【０００５】
上記した問題は、インク貯留室から気液交換領域に入り込むインク量を制限することで、解決することが可能である。例えば、特許文献３には、貫通孔が形成された隔壁に、中継芯をそのまま挿通させるようにインク貯留室側に延びる隔壁延出部を形成した構成が開示されている。隔壁延出部は、中継芯との間で、毛細管力によってインクが保持されるようになっており、この構造によれば、温度変化が生じても、隔壁延出部の領域のインクのみが押し出されることから、リザーバ室に多量のインクが漏れ出たり、塗布体側がインクリッチ状態になることを抑制することができる。
【先行技術文献】
【特許文献】
【０００６】
【特許文献１】ＷＯ９２／２０５３０号
【特許文献２】ＷＯ２００４／０００５７５号
【特許文献３】ＷＯ２００５／１２３４１６号
【発明の概要】
【発明が解決しようとする課題】
【０００７】
上記した特許文献３に開示された構造によれば、隔壁延出部によってインク貯留室内のインクの押し出し量を制限することができるため、温度変化や大きな衝撃などが加わっても、多量のインクがリザーバ室側に押し出されることが抑制される。
【０００８】
しかしながら、制御されるインク量は、隔壁延出部の長さしか保持されないため、連続して筆記すると、塗布体側が早期にインクプアとなってしまい、すぐにかすれてしまうという不都合が生じる。特に、インクの粘度が高くなると、隔壁延出部の長さ方向に亘って満遍なくインクが貯留され難いことから、より早期にインクプアとなってしまう。すなわち、隔壁延出部のインクの貯留だけで押し出し量を制限するだけでは、本体を姿勢変化することなく連続筆記する際には、十分なインク量となっていない。
【０００９】
また、隔壁延出部の内面と中継芯を位置決めするように、隔壁延出部の断面を多角形状にすると、貯留されるインク量は制限されてしまい、更に、気液交換領域が長いことから、安定した気液交換作用が得られなくなって、これが連続して筆記する際のかすれの要因にもなってしまう。
【００１０】
本発明は、上記した問題点を解決するためになされたものであり、温度変化などが生じても、液体を貯留する貯留室からリザーバ室側に押し出される液体を少なくするとともに、塗布体側で安定した連続塗布を可能にする液体を貯留した塗布具を提供することを目的とする。
【課題を解決するための手段】
【００１１】
上記した目的を達成するために、本発明に係る塗布具は、本体と、前記本体内に設けられ、液体が貯留される貯留室とリザーバ室とを区画するとともに、貫通孔が形成された隔壁と、前記貯留された液体の塗布を可能とする塗布体を具備し、前記貫通孔に挿通されて貯留室内に貯留された液体を塗布体側に移送させる中継芯と、前記貯留室内に配設され、周壁と底壁を具備したコップ部材と、を備えており、前記コップ部材は、前記本体の内面と前記周壁との間に液体が貯留される第１の隙間を形成するとともに、前記隔壁と底壁との間に液体が貯留される第２の隙間を形成する大きさに形成されており、前記中継芯を前記第２の隙間に突出させたことを特徴とする。
【００１２】
上記した構成の塗布具は、貯留室内にコップ部材が配設される。このコップ部材は、貯留室内に、前記第１の隙間と第２の隙間を形成して貯留室内に配設されるため、貯留室に収容される液体の殆どをコップ本体内に収容するものの、第１の隙間はコップ部材の周壁と本体の内面との間に形成され、第２の隙間はコップ部材の底壁と中継芯が挿通される隔壁との間に形成されるため、隔壁延出部を形成した場合と比較すると、インクの貯留量を多く確保することができる。すなわち、中継芯に供給  される液体をコップ部材によって制限しつつ、ある程度、確保することが可能となる。このため、温度変化等が生じても、塗布体側に液体を移送する中継芯に対しては、第１の隙間と第２の隙間内に保持されている液体が押し出されるように制限でき、温度変化や大きな衝撃などが加わっても、塗布体側やリザーバ室側に多量の液体が押し出されることが抑制される。また、第１の隙間及び第２の隙間は、コップ部材の外壁領域に形成されることから、ある程度の容量の液体を確保することができるため、液体を連続塗布しても中継芯に対する液体の供給が早期になくなることはない。
【発明の効果】
【００１３】
本発明の塗布具によれば、温度変化などが生じても、液体を貯留する貯留室からリザーバ室側に押し出される液体を少なくするとともに、塗布体側で安定した連続塗布が可能になる。
【図面の簡単な説明】
【００１４】
【図１】本発明に係る塗布具の第１の実施の形態を示す図であり、（ａ）は縦断面図、（ｂ）は図（ａ）におけるＡ−Ａ線に沿った断面図、（ｃ）は図（ａ）におけるＢ−Ｂ線に沿った断面図。
【図２】本発明に係る塗布具の第２の実施の形態を示す縦断面図。
【図３】本発明に係る塗布具の第３の実施の形態を示す縦断面図。
【図４】本発明に係る塗布具の第４の実施の形態を示す縦断面図。
【図５】本発明に係る塗布具の第５の実施の形態を示す縦断面図。
【図６】本発明に係る塗布具の第６の実施の形態を示す縦断面図。
【図７】本発明に係る塗布具の第７の実施の形態を示す縦断面図。
【図８】液体貯留室内に配設されるコップ部材と本体との関係を示す変形例（図１（ａ）のＡ−Ａ線に沿った断面図）であり、（ａ）は第１の変形例を示す図、（ｂ）は第２の変形例を示す図。
【発明を実施するための形態】
【００１５】
以下、図面を参照して本発明に係る塗布具の実施形態について説明する。なお、以下の実施形態では、塗布具は、筆記具として構成されている。
【００１６】
図１は、塗布具の第１の実施形態を示しており、（ａ）は縦断面図、（ｂ）は図（ａ）におけるＡ−Ａ線に沿った断面図、（ｃ）は図（ａ）におけるＢ−Ｂ線に沿った断面図である。
本実施の形態の塗布具（以下、筆記具と称する）１は、空洞部を有する円筒状の軸筒（本体）３を備えている。前記本体３内には、インク（液体）が貯留される貯留室５とリザーバ室７とを区画する隔壁１０が配設されている。また、本体３の尾端側には、本体に対して着脱可能なキャップ状の尾栓１１が取付けられ、先端側には、開口１２ａを有する先口１２が形成され、この部分にリザーバ室７開口する大気連通孔１２ｂを介在させてペン体（塗布体）１５が取付けられている。
【００１７】
前記隔壁１０は、円板状の部材を本体３の内面に圧入して構成されたものであり、中心部に貫通孔１０ａが形成されている。この貫通孔１０ａには、細長状で断面円形状の中継芯１６が挿通されている。中継芯１６は、貫通孔１０ａ対して隙間なく挿通されていてもよいが、本実施形態では、気液交換の感度を向上するように、貫通孔１０ａの内面と中継芯の外面との間に所定の隙間Ｇ（毛細管力によってインクが保持できる程度の隙間）を持って挿通される。なお、貫通孔１０ａは、断面円形に形成して中継芯との間でリング状の隙間を形成する構成であっても良いが、断面多角形状に形成することで、挿通される中継芯１６との間で隙間を形成しつつ、中継芯を安定して保持、位置決めすることが可能である。
【００１８】
前記中継芯１６は、軸方向に平行な多数の繊維を収束して圧縮することで多孔質の棒状の部材として形成されており、その後端面及び外周面からインクが流入し、その毛細管力によってペン体１５側に移送される。この場合、中継芯１６は、毛細管力によって貯留室５内に貯留されたインクをペン体１５に向けて感度良く移送できるように、できるだけ気孔率が低く形成されること（内部で気液交換しない（空気の通路を形成しない）こと）が好ましい。
【００１９】
前記ペン体１５は、中継芯１６と一体構造であっても良いし、中継芯と同様、複数本の繊維を集束して圧縮して形成し、これを中継芯の先端面に突き合わせたものであっても良い。すなわち、ペン体自身も個々の繊維の間に毛管現象を生じさせ、長手方向にインクを移動させる機能を備えている。なお、ペン体１５の毛細管力は、中継芯１６の毛細管力よりも大きく設定することでペン体側に向けてインクが移動し易くなるが、両者の毛細管力は同じであっても良い。
【００２０】
前記リザーバ室７内には、図に示すように、中継芯１６を囲繞して外周面と接触し、インクを吸蔵可能な吸蔵体１８を配設しておくことが好ましい。このような吸蔵体１８は、例えば、繊維材料等、多孔質の材料（綿等）によって構成することが可能である。リザーバ室７に、このような吸蔵体１８を配設しておくことにより、前記隙間Ｇから流出したインクを保持して大気連通孔１２ｂから漏出することを防止できると共に、そこで吸収したインクを、中継芯１６にリターンさせること（筆記によって再利用すること）が可能となる。
【００２１】
上記した吸蔵体は、インクを一時的に貯留できる機能があれば良く、上記した多孔質材以外にも、例えば、蛇腹形態の部材で構成しても良い。或いは、吸蔵体１８を設けない構成にしても良い。なお、図に示す吸蔵体１８は、本体３の内周面との間、及び、隔壁の底壁との間に隙間が生じるように設置されており、大気は、この隙間を通って隙間Ｇ内に流入する。従って、このような構成の吸蔵体は、気液交換作用を備えていなくても良い。
【００２２】
上記した構成では、隔壁１０に形成された貫通孔１０ａの内面と中継芯１６の外面との間の隙間Ｇに、毛細管力によりインク膜（シール）が形成される。このインク膜は、貯留室５内の圧力の上昇、減少に伴って破れ、インクがリザーバ室７に流出したり、或いは大気に連通しているリザーバ室７を介して空気が貯留室５内に流入する等、いわゆる気液交換作用が得られる。また、筆記によってインクが消費されると、毛細管力によって保持されているインクが吸い出され、ペン体１５へ供給され、保持されているインクが消費されると、空気が流入し、再びインク膜が形成される。
【００２３】
具体的には、ペン体１５で筆記を行なうと、中継芯１６に含浸されているインクを消費すると共に、本実施形態では隙間Ｇで保持されているインクを消費する。そして、隙間Ｇで保持されているインクが消費されると、それに見合った気体が、そのまま隙間に流入して気液交換するため、気液交換の感度が良好となり、かすれ等が生じることなく、連続して安定した筆記が可能となる。このため、中継芯１６を貫通孔１０ａに隙間無く嵌合させて中継芯の内部で気液交換を行なったり、中継芯から離れた位置で気液交換を行なう構成と比較すると、気液交換感度が良好となり、連続して安定した塗布が可能となる。
【００２４】
前記貯留室５内には、周壁２０ａと底壁２０ｂを具備し、これらに囲まれた円筒状の内部空間Ｓにインクを貯留するコップ部材２０が配設されている。コップ部材２０は、本体３の内面と周壁２０ａとの間にインクが貯留される第１の隙間Ｇ１を形成するとともに、前記隔壁１０と底壁２０ｂとの間にインクが貯留される第２の隙間Ｇ２を形成する大きさに形成されている。このため、貯留室５にインクを充填すると、コップ部材の上端開口から内部空間Ｓに収容されて、その上端開口から第１の隙間Ｇ１内に移動する。このインクの移動については、本体３を姿勢変化することで成される。また、前記中継芯１６は、第２の隙間Ｇ２に突出するように配設され、本実施形態では、中継芯１６の端面が第２の隙間Ｇ２内で終端するようにしている。
【００２５】
本実施形態のコップ部材２０は、本体３内に、挿入、固定される構成となっている。このため、周壁２０ａの外面には、本体３の内面に圧接できるようにフランジ２１が突出形成されている。なお、このフランジ２１は、前記第１の隙間Ｇ１内にインクが流入できるように、円周方向に沿って所定の間隔（本実施形態では、９０°間隔で４か所）で形成されており、安定して保持されるように、周壁２０ａの軸方向の両端に形成されている。また、コップ部材２０は、単独部材として形成しても良いが、割型によって隔壁１０と共に一体形成しても良い。このような構成では、第２の隙間Ｇ２内に位置して両者を連結する連結部が形成される。
【００２６】
前記第１の隙間Ｇ１及び第２の隙間Ｇ２には、貯留室内のインクが保持される。この場合、各隙間Ｇ１，Ｇ２は、毛細管力によってインクを保持する構成であっても良いし、毛細管力によってインクを保持しない構成（姿勢変化によって移動できるように保持する構成）であっても良い。この場合、隙間Ｇ１，Ｇ２内に、毛細管力でインクを保持できるように構成することで、ペン体１５を上向きにして筆記した場合であっても、インクは隙間Ｇ１，Ｇ２内に維持された状態になることから、そのような状態になっても安定した筆記を行うことが可能となる。ただし、インクを毛細管力によって隙間Ｇ１，Ｇ２内に保持するのであれば、コップ部材の大きさ及び配設位置は、第２の隙間Ｇ２の毛細管力が、第１の隙間Ｇ１の毛細管力よりも大きくなるように設定される。
【００２７】
上記した構成の筆記具１は、貯留室５内に配設されたコップ部材２０が、貯留室内に充填されるインクの殆どを収容した状態となり、その一部が第１の隙間Ｇ１と第２の隙間Ｇ２内に保持（貯留）される。
【００２８】
このため、ペン体側で筆記すると、上述したように、中継芯１６及びペン体１５に保持されているインク、更には、隔壁１０に形成された貫通孔１０ａと中継芯１６との間の隙間Ｇに保持されているインクを消費する。そして、連続して筆記を行ない、隙間Ｇの部分で気液交換作用がなされると、隙間Ｇ１，Ｇ２内に保持されているインクが消費される（その部分のインクが、中継芯内及び隙間Ｇ内に入り込む）ようになる。なお、通常の使用状態では、中継芯１６に含浸されているインク及び隙間Ｇ内に保持されているインクで充分な筆記が可能であり、隙間Ｇ１，Ｇ２で保持されているインクを消費することはあまりないが、第２の隙間Ｇ２は、コップ部材２０の底壁２０ｂと隔壁１０との間に形成されることから、ある程度の容量の液体を確保することができ、第１の隙間Ｇ１に保持されているインクと併せて、中継芯１６に対しては十分なインクを供給することが可能である。すなわち、ペン体を下向きにして筆記をした場合であっても、十分なインク量が確保できることから、インクの供給が早期になくなることはない（連続して長く安定した筆記が可能となる）。特に、隙間Ｇ１，Ｇ２に毛細管力を作用させない構成であれば、より十分なインク量を確保することができ、連続して長く筆記することが可能となる。
【００２９】
なお、中継芯１６、及び隙間Ｇ、Ｇ１，Ｇ２で保持されているインクを消費し、この部分のインクが全て消費されると、中継芯１６に供給されるインクがなくなってしまう。このような場合、一旦尾栓１１側を下向きにする等、筆記具を姿勢変化させて、カップ部材２０内に貯留されているインクを再び隙間Ｇ、Ｇ１，Ｇ２内に保持させれば良い。
【００３０】
また、貯留室５内に充填されるインクは、その大半がカップ部材２０内に貯留された状態となっており、インクは、気液交換が成される部分とは隔離された状態にあることから、温度変化（圧力変化）、水頭圧や衝撃等の影響を排除することが可能となり、安定したインクの吐出が可能となる。このように、中継芯１６の部分に供給されるインクをコップ部材２０によって制限しつつ、隙間Ｇ１，Ｇ２によって、筆記するに際してのインク量をある程度、確保することが可能となる。
【００３１】
以上のように、中継芯１６の部分に対しては、貯留室５内のインクではなく、第１の隙間Ｇ１と第２の隙間Ｇ２内に保持されているインクのみが押し出されるように制限できることから、温度変化や大きな衝撃などが加わっても、ペン体側やリザーバ室側に多量のインクが押し出されることを抑制することが可能となる。特に、インクの貯留量が減って貯留室５内の空気の量が多くなった場合、温度変化によってインクがリザーバ室側に押し出されやすくなるが、貯留室５内にコップ部材２０を配設したことにより、その押し出しを制限することが可能となる。
【００３２】
なお、貯留室５内のインクが多く、コップ部材２０の周壁２０ａの上端縁よりも上側に液面があったとしても、空気の量（膨張する空気の量）が少ないことから、温度変化が生じても、インクの押し出し量は制限される。また、インクが少なくなって空気の量が多くなっても、液面は周壁２０ａの上端縁よりも下側となり、コップ部材によってインクの押し出しは効果的に制限される。
【００３３】
そして、隙間Ｇを介してリザーバ室７内にインクが吐出されたとしても、本実施形態では、そのインクは吸蔵体１８によって吸蔵されることから、ペン体側がインクリッチになってインクのボタ落ちを効果的に防止することが可能である。この場合、吸蔵体１８の毛細管力を中継芯１６の毛細管力以下に設定することで、ペン体側で筆記を行った際、吸蔵体１８に吸蔵されているインクを利用することが可能となる。
【００３４】
次に、本発明の別の実施形態について説明する。
以下に説明する実施形態では、第１の実施形態と同様な部分については同一の参照符号を付し、詳細な説明については省略する。
【００３５】
図２は、筆記具（塗布具）の第２の実施形態を示す図である。
この実施形態では、コップ部材２０の底壁２０ｂのリザーバ室側の中央領域に凹所２２を形成しており、この部分に中継芯１６の端部を嵌入して固定するようにしている。上述したように、中継芯１６は、軸方向に平行な多数の繊維を収束して圧縮することで多孔質の棒状の部材として形成されており、その周面よりも端面からインクが流入し易く、内部に流入したインクは軸方向（ペン体側）に向けて移動する。このため、中継芯１６の端面が第２の隙間Ｇ２内で終端していると、インクの粘度によっては中継芯の内部にインクが吸収されやすく、ペン体側でインクリッチになってボタ落ちが生じ易くなることもある。
【００３６】
本実施形態のように、中継芯１６の端面をコップ部材に圧入することで、内部に入り込むインクの量を制限して、ペン体側でインクのボタ落ちを効果的に抑制することが可能となる。また、中継芯１６は、コップ部材１６に圧入して固定されることから、正確な位置決め、保持が行える。
【００３７】
図３は、筆記具（塗布具）の第３の実施形態を示す図である。
この実施形態では、隔壁１０のリザーバ室側にホルダ１０ｄを形成し、この部分に吸蔵体を保持する構造とし、隔壁及び吸蔵体を保持する部位をユニット化して組み込み性を容易にしている。この場合、ホルダに保持される多孔質の吸蔵体については、軸方向で気孔率が異なるように設定することが好ましい。
【００３８】
具体的には、貯留室側の吸蔵体１８Ａの気孔率が低く（毛細管力が強い）、リザーバ室側の吸蔵体１８Ｂの気孔率が高く（毛細管力が弱い）なるように構成することで、貫通孔１０ａの部分に隣接するようにして、インクによるシール膜を形成することが可能となる。すなわち、温度変化などによって貫通孔１０ａの部分からインクが押し出されたとしても、そのインクは、毛細管力の強い部分（吸蔵体１８Ａ）で保持されるようになり、吸蔵体１８Ａの部分でインクの保持量が飽和した場合、さらにインクが流入しようとしても、そのインクは、もはや吸蔵体１８Ａでは吸収されなくなり、これ以上のインクは貯留室側から流出し難くなってしまう（シール膜として機能する）。この場合、吸蔵体１８Ａから吸蔵体１８Ｂインクが移動することはできるが、毛細管力が吸蔵体１８Ｂの方が吸蔵体１８Ａよりも弱いため、その移動量は少なく（部分的に毛細管力が高くなっている領域には移動する）、したがって、吸蔵体１８Ａのインクが飽和するとインクによるシール状態が形成され、貫通孔１０ａから押し出されるインクを効果的に制限することが可能となる。
【００３９】
なお、上記したペン体１５の毛細管力、中継芯１６の毛細管力、貫通孔１０ａの部分での毛細管力、及び、吸蔵体１８Ａ，１８Ｂの毛細管力の関係については、以下のように設定することが好ましい。
ペン体１５の毛細管力≧中継芯１６の毛細管力＞貫通孔１０ａの部分の毛細管力≧吸蔵体１８Ａの毛細管力＞吸蔵体１８Ｂの毛細管力
【００４０】
上記のように、貫通孔１０ａの部分の毛細管力を吸蔵体１８Ａの毛細管力よりも大きく設定する（貫通孔１０ａの部分の毛細管力＞吸蔵体１８Ａの毛細管力）ことが好ましく、これにより、常温時において、インクの移動を防止して貫通孔部分でのサイフォン現象を防止することが可能となる。すなわち、常温時では、吸蔵体１８Ａにインクは侵入せずに貫通孔部分で確実に保持することが可能であるため、インクの移動及びサイフォン現象が防止され、リザーバ室側に多量のインクが押し出されることが防止される。この場合、温度が上がったときに、貫通孔１０ａで保持できなくなった余剰インクは吸蔵体１８Ａで保持されるようになり、温度上昇時では、吸蔵体１８Ａに流れたインクによって貫通孔１０ａの下部でシール膜（空気を通さない膜）が形成される。このため、貫通孔１０ａ部分の一部でインクが満たされない領域が存在してサイフォン現象が生じる等、インクが押し出されようとしても、吸蔵体１８Ａによるシール膜が存在することにより、貯留室側に空気が流入することが抑制され、リザーバ室側に多量のインクが押し出されることが抑制される。
【００４１】
前記吸蔵体を量産する際、吸蔵体を圧縮して気孔率を一定にすることは困難である。通常、組立前の吸蔵体（生産時の吸蔵体）の気孔率は、設計上の気孔率に対して±１５％程度の誤差が生じる。このように誤差が大きいことから、貫通孔１０ａの部分の毛細管力が強くなるように設定（隙間を小さくする）し、吸蔵体１８Ａとの間で落差を大きくしておく（貫通孔１０ａの部分で確実にシール膜を形成する）ことで、吸蔵体１８Ａの圧縮については必要以上に強くする必要はない。すなわち、貫通孔１０ａの部分で確実にシール膜が形成されなければ、吸蔵体１８Ａの毛細管力を強く設定しなければならないが、上記のように気孔率にバラツキがある（±１５％）吸蔵体１８Ａを圧縮して気液交換感度を安定させることは困難である。このため、貫通孔１０ａの部分の毛細管力＞吸蔵体１８Ａの毛細管力、の関係に設定しておく（吸蔵体１８Ａの毛細管力を必要以上に大きくしない）ことで、吸蔵体１８Ａの圧縮を必要以上に大きくする必要は無く設計が容易になる。この場合、吸蔵体１８Ａの毛細管力は、吸蔵体１８Ｂの毛細管力よりも少し強くすれば良く、設計が容易になる。
【００４２】
なお、貫通孔１０ａの部分の毛細管力と吸蔵体１８Ａの毛細管力については、両者を同じに設定しても良く、常温時において、貫通孔１０ａの部分と吸蔵体１８Ａでインクを保持してインクシールを形成するようにしても良い。
【００４３】
また、第２の隙間Ｇ２内で終端する中継芯１６の端面をコップ部材２０の底壁２０ｂに当接させることで、中継芯の内部に流入するインク量をある程度、制限してペン体側でインクのボタ落ちを効果的に抑制することが可能となる。
【００４４】
図４は、筆記具（塗布具）の第４の実施形態を示す図である。
この実施形態では、第２の隙間Ｇ２内で終端する中継芯１６の端面１６ａを焼き付け処理して、その部分から中継芯内へのインクの流入を抑制している。このような構成によれば、図２に示したコップ部材１６に対する圧入構造、及び、図３に示した当て付け構造よりも中継芯内部に流入する液体を確実に抑制できるようになり、ペン体側でのインクのボタ落ちをより効果的に抑制することが可能となる。
【００４５】
図５は、筆記具（塗布具）の第５の実施形態を示す図である。
この実施形態では、隔壁１０に形成されて吸蔵体を保持するホルダ１０ｄに小径部１０ｅと大径部１０ｆを形成している。すなわち、貯留室側に小径部１０ｅを形成し、リザーバ室側に大径部１０ｆを形成しており、これらの部分に多孔質の吸蔵体１８を保持している。
【００４６】
このような構成では、１つの吸蔵体１８をホルダ１０ｄに圧入することで、貯留室側の気孔率を低く（毛細管力が強い）設定することができ、図３及び図４の構成と同様な効果が得られるようになる。すなわち、気孔率が異なる複数の吸蔵体を準備する必要がないため、組み付け性の向上が図れるようになる。
【００４７】
図６は、筆記具（塗布具）の第６の実施形態を示す図である。
この実施形態では、コップ部材２０Ａを、貯留室５内で変位可能に配設したことを特徴としており、コップ部材は貯留室に収容されるインク内で浮遊できるようにしている。この場合、コップ部材２０Ａは、周壁２０ａと本体３の内面との間に第１の隙間Ｇ１を形成するとともに、隔壁１０の上面に環状のフランジ１０ｈを形成し、このフランジ部分に底壁２０ｂが当て付くことで第２の隙間Ｇ２を形成するようにしている。
【００４８】
例えば、インクとして顔料系（溶剤と顔料を混合したもの）のものを用いる場合、溶剤と顔料が分離し易いため、上記したように、コップ部材２０Ａが貯留室で変位できるように構成することで、攪拌のための錘等を収容しておく必要がなく、コストを安くすることが可能となる。また、コップ部材２０Ａを貯留室内に挿入するだけでよいため、組み立ても容易であり、コストが安くなるとともに、寸法管理も複雑化することはない。
【００４９】
図７は、筆記具（塗布具）の第７の実施形態を示す図である。
この実施形態では、上述したコップ部材２０（２０Ａ）の底壁２０ｂと隔壁１０との間にインク誘導体（液体誘導体）３０を充填している。上記したように、コップ部材に貯留されているインクは、第１の隙間Ｇ１から第２の隙間Ｇ２に流れて中継芯１６に移動する。この場合、使用されるインクの種類や粘度等によっては、第１の隙間Ｇ１から第２の隙間Ｇ２へインクが移動し難くなることもあるため、第２の隙間Ｇ２内に、第１の隙間Ｇ１から中継芯１６にインクを誘導するインク誘導体３０を配設しておくことが好ましい。  
このようなインク誘導体３０は、例えば、綿、紙など、インクを移送できる素材であれば良く、第２の隙間Ｇ２内に隙間なく充填されるものであっても良いし、多少の隙間が生じた状態で充填されていても良い。インク誘導体３０については、上記したいずれの実施形態にも用いることが可能である。
【００５０】
図８は、貯留室内に配設されるコップ部材と本体との関係を示す変形例であり、（ａ）は第１の変形例を示す図、（ｂ）は第２の変形例を示す図である。これらの図は、いずれも図１（ａ）のＡ−Ａ線に沿った部分の断面構造を示している。
【００５１】
図１で示したように、第１の隙間Ｇ１を形成するに際しては、コップ部材２０の周壁２０ａの外面に、本体３の内面に圧接できるようにフランジ２１を突出形成したが、この変形例では、そのようなフランジを形成することなく、第１の隙間Ｇ１を形成するようにしている。すなわち、図８（ａ）に示すように、コップ部材２０の周壁２０ａの外面に、軸方向に延びる複数のスリット２４を形成することで、このスリットを第１の隙間Ｇ１として機能させても良い。或いは、図８（ｂ）に示すように、本体３の内面に、軸方向に延びる複数のスリット４を形成することで、このスリットを第１の隙間Ｇ１として機能させても良い。
【００５２】
このような構成では、本体３に対してコップ部材２０を圧入することで、第１の隙間Ｇ１を形成することが可能となり、第１の隙間を容易かつ安定して形成することが可能となる。なお、スリットについては、コップ部材及び本体の両側に設けても良く、その深さや形成個数についても、収容されるインクの種類によって適宜変形することが可能である。
【００５３】
以上、本発明の実施形態について説明したが、本発明は、上記した実施形態に限定されることはなく、種々、変形することが可能である。
本発明は、貯留室内にコップ部材を配設し、このコップ部材を利用して第１の隙間Ｇ１及び第２の隙間Ｇ２を形成することに特徴があり、それ以外の構成、例えば、本体３や隔壁１０の構成については、貯留室に収容される液体に応じて適宜変形することが可能である。また、中継芯１６と隔壁１０に形成された貫通孔１０ａとの間に形成される隙間Ｇに関しては、その長さを適宜調整したり、テーパ状にして液体を貯留し、かつ貯留室側に戻すことができるように構成しても良い。また、多孔質の吸蔵体１８を用いる構成では、隔壁に形成されるホルダに関し、その内面をテーパ状にすることで、気孔率を軸方向に連続的に変化させるようにしても良い。
【００５４】
また、上記した各実施形態については、ある実施形態の構成要素を別の実施形態の構成要素に置換したり、組み合わせて実施しても良い。さらに、上記した実施形態は、筆記具を例示して説明したが、アイライナーのような化粧品等、様々な塗布具に適用することが可能である。
【符号の説明】
【００５５】
１  塗布具
３  本体
５  貯留室
７  リザーバ室
１０  隔壁
１５  ペン体
１６  中継芯
１８  吸蔵体
２０  コップ部材
３０  インク誘導体
Ｇ  隙間
Ｇ１  第１の隙間
Ｇ２  第２の隙間
【図１】
2018114705.tif 000003
【図２】
2018114705.tif 000004
【図３】
2018114705.tif 000005
【図４】
2018114705.tif 000006
【図５】
2018114705.tif 000007
【図６】
2018114705.tif 000008
【図７】
2018114705.tif 000009
【図８】
2018114705.tif 000010
【手続補正書】
【提出日】平成29年5月12日(2017.5.12)
【手続補正１】
【補正対象書類名】特許請求の範囲
【補正対象項目名】全文
【補正方法】変更
【補正の内容】
【特許請求の範囲】
【請求項１】
本体と、
前記本体内に設けられ、液体が貯留される貯留室とリザーバ室とを区画するとともに、貫通孔が形成された隔壁と、
前記貯留された液体の塗布を可能とする塗布体を具備し、前記貫通孔に挿通されて貯留室内に貯留された液体を塗布体側に移送させる中継芯と、
前記貯留室内に配設され、周壁と底壁を具備したコップ部材と、
を備えた塗布具であって、
前記コップ部材は、前記本体の内面と前記周壁との間に液体が貯留される第１の隙間と、前記隔壁と底壁との間に液体が貯留される第２の隙間を形成するとともに、前記貯留室内に充填される液体の殆どを前記周壁と底壁に囲まれた内部空間に貯留し、その上端開口から移動して、前記第１の隙間及び第２の隙間内に保持された一部の液体のみが前記中継芯に対して押し出されるように制限する大きさに形成されており、
前記中継芯を前記第２の隙間に突出させた、
ことを特徴とする塗布具。
【請求項２】
前記隔壁に形成される貫通孔は、中継芯との間で、毛細管力によって液体を保持することが可能な隙間を形成することを特徴とする請求項１に記載の塗布具。
【請求項３】
前記リザーバ室内に設けられ、前記中継芯を囲繞して液体を吸蔵する吸蔵体を配設したことを特徴とする請求項１又は２に記載の塗布具。
【請求項４】
前記コップ部材は、第１の隙間及び第２の隙間が毛細管力によって液体を保持する大きさを備えており、前記第２の隙間の毛細管力は第１の隙間の毛細管力よりも強くなるように構成されることを特徴とする請求項１から３のいずれか１項に記載の塗布具。
【請求項５】
前記第２の隙間に突出する中継芯の端面を焼き付け処理したことを特徴とする請求項１から４のいずれか１項に記載の塗布具。
【請求項６】
前記コップ部材の底壁に凹所を形成し、前記第２の隙間に突出する中継芯の端部を圧入したことを特徴とする請求項１から４のいずれか１項に記載の塗布具。
【請求項７】
前記貫通孔は、断面多角形状に形成されており、前記中継芯を位置決めすることを特徴とする請求項２から６のいずれか１項に記載の塗布具。
【請求項８】
前記コップ部材には、前記周壁にリブが形成され、前記コップ部材は、リブを本体の内面に圧接することで位置決めされることを特徴とする請求項１から７のいずれか１項に記載の塗布具。
【請求項９】
前記コップ部材の周壁の外面、及び／又は、前記本体の内面にスリットを形成し、前記コップ部材を本体内に圧入することで、前記第１の隙間を形成することを特徴とする請求項１から７のいずれか１項に記載の塗布具。
【請求項１０】
前記吸蔵体は、繊維を絡ませた多孔質材であり、
前記隔壁には、前記吸蔵体を保持するホルダが形成されていることを特徴とする請求項３から９のいずれか１項に記載の塗布具。
【請求項１１】
前記ホルダは、貯留室側の内径が小さく、塗布体側の内径が大きく形成されており、
前記ホルダに保持される多孔質材は、貯留室側の気孔率が低く、塗布体側の気孔率が高いことを特徴とする請求項１０に記載の塗布具。
【請求項１２】
前記吸蔵体は繊維を絡ませた多孔質材であると共に、貯留室側の気孔率が低く、塗布体側の気孔率が高くなるように構成されており、
前記塗布体の毛細管力≧前記中継芯の毛細管力＞前記貫通孔と中継芯との間の毛細管力≧前記貯留室側の多孔質材の毛細管力＞前記塗布体側の多孔質材の毛細管力、に設定したことを特徴とする請求項３から９のいずれか１項に記載の塗布具。
【請求項１３】
前記コップ部材は、前記貯留室内で変位可能に配設されていることを特徴とする請求項１から３のいずれか１項に記載の塗布具。
【請求項１４】
前記第２の隙間に、前記第１の隙間から前記中継芯に液体を誘導する液体誘導体を配設したことを特徴とする請求項１から１３のいずれか１項に記載の塗布具。
【手続補正２】
【補正対象書類名】明細書
【補正対象項目名】００１１
【補正方法】変更
【補正の内容】
【００１１】
上記した目的を達成するために、本発明に係る塗布具は、本体と、前記本体内に設けられ、液体が貯留される貯留室とリザーバ室とを区画するとともに、貫通孔が形成された隔壁と、前記貯留された液体の塗布を可能とする塗布体を具備し、前記貫通孔に挿通されて貯留室内に貯留された液体を塗布体側に移送させる中継芯と、前記貯留室内に配設され、周壁と底壁を具備したコップ部材と、を備えており、前記コップ部材は、前記本体の内面と前記周壁との間に液体が貯留される第１の隙間と、前記隔壁と底壁との間に液体が貯留される第２の隙間を形成するとともに、前記貯留室内に充填される液体の殆どを前記周壁と底壁に囲まれた内部空間に貯留し、その上端開口から移動して、前記第１の隙間及び第２の隙間内に保持された一部の液体のみが前記中継芯に対して押し出されるように制限する大きさに形成されており、前記中継芯を前記第２の隙間に突出させたことを特徴とする。